【手続補正書】
【提出日】平成18年11月15日(2006.11.15)
【手続補正１】
【補正対象書類名】明細書
【補正対象項目名】特許請求の範囲
【補正方法】変更
【補正の内容】
【特許請求の範囲】
【請求項１】  映像信号を利用してホワイトバランスを補正するホワイトバランス装置であって、
画面を複数のブロックに分割し、各分割領域内の信号を平均化して各ブロックの代表値であるブロック平均信号を得るブロック平均信号抽出手段と、
各分割領域内の信号中で輝度信号が最大の部分の信号を、各ブロックの代表値であるブロック輝度ピーク信号として得るブロック輝度ピーク信号抽出手段と、
前記ブロック平均信号と前記ブロック輝度ピーク信号を被写体の状態によって切り替えてホワイトバランス制御に用いる信号切り替え手段とを具備することを特徴とするホワイトバランス装置。
【請求項２】  前記信号切り替え手段は、前記ブロック平均信号抽出手段から出力された平均輝度信号の積分値と、前記ブロック輝度ピーク信号抽出手段から出力されたピーク輝度信号の積分値の比率を演算し、前記ピーク輝度信号の積分値が前記平均輝度信号の積分値の所定倍率以上の場合、前記ブロック輝度ピーク信号抽出手段の出力を選択し、前記所定倍率末満の場合は前記ブロック平均信号抽出手段の出力を選択することを特徴とする請求項１に記載のホワイトバランス装置。
【請求項３】  前記ブロック輝度ピーク信号抽出手段は、ピークとして抽出される輝度を予め定められた下限と上限の間のレベルで制限した後の輝度信号を用いて各分割領域の信号中で輝度信号が最大の部分の信号を各ブロックの代表値として得ることを特徴とする請求項１に記載のホワイトバランス装置。
【請求項４】  前記ブロック輝度ピーク信号抽出手段は、入力される輝度信号、色差信号にあらかじめローパスフィルタをかけた後の信号を用いて各分割領域の信号中で輝度信号が最大の部分の信号を各ブロックの代表値として得ることを特徴とする請求項１に記載のホワイトバランス装置。
【請求項５】  前記ブロック輝度ピーク信号抽出手段は、あらかじめ輝度信号、色差信号にあらかじめローパスフィルタをかけた後、輝度信号を予め定められた下限と上限の間のレベルで制限した輝度信号を用いて各分割領域の信号中で輝度信号が最大の部分の信号を各ブロックの代表値として得ることを特徴とする請求項１に記載のホワイトバランス装置。
【請求項６】  映像信号を利用してホワイトバランスを補正するホワイトバランス装置であって、
画面を複数のブロックに分割し、各分割領域内の信号を平均化して各ブロックの代表値であるブロック平均信号を得るブロック平均信号抽出手段と、
各分割領域内の信号中で輝度信号が最大の部分の信号を、各ブロックの代表値であるブロック輝度ピーク信号として得るブロック輝度ピーク信号抽出手段と、
各ブロックの抽出された信号の中から、輝度信号と色差信号が無彩色の範囲内にある信号成分だけを抽出する白抽出処理手段と、
前記ブロック平均信号抽出手段の出力に白抽出処理をした信号と、前記ブロック輝度ピーク信号抽出手段の出力に白抽出処理をした信号を被写体の状態によって切り替えてホワイトバランス制御に用いる信号切り替え手段とを具備することを特徴とするホワイトバランス装置。
【請求項７】  前記信号切り替え手段は、前記ブロック平均信号抽出手段から出力された信号に白抽出処理を施した後の平均輝度信号の積分値と、前記ブロック輝度ピーク信号抽出手段から出力された信号に白抽出処理を施した後のピーク輝度信号の積分値の比率を演算し、前記ピーク輝度信号の積分値が前記平均輝度信号の積分値の所定倍率以上の場合、前記ブロック輝度ピーク信号抽出手段の出力に白抽出処理をした信号を選択し、前記所定倍率未満の場合は前記ブロック平均信号抽出手段の出力に白抽出処理をした信号を選択することを特徴とする請求項６に記載のホワイトバランス装置。
【請求項８】  前記ブロック輝度ピーク信号抽出手段は、ピークとして抽出される輝度を予め定められた下限と上限の間のレベルで制限した後の輝度信号を用いて各分割領域の信号中で輝度信号が最大の部分の信号を各ブロックの代表値として得ることを特徴とする請求項６に記載のホワイトバランス装置。
【請求項９】  前記ブロック輝度ピーク信号抽出手段は、入力される輝度信号、色差信号にあらかじめローパスフィルタをかけた後の信号を用いて各分割領域の信号中で輝度信号が最大の部分の信号を各ブロックの代表値として得ることを特徴とする請求項６に記載のホワイトバランス装置。
【請求項１０】  前記ブロック輝度ピーク信号抽出手段は、あらかじめ輝度信号、色差信号にあらかじめローパスフィルタをかけた後、輝度信号を予め定められた下限と上限の間のレベルで制限した輝度信号を用いて各分割領域の信号中で輝度信号が最大の部分の信号を各ブロックの代表値として得ることを特徴とする請求項６に記載のホワイトバランス装置。
【請求項１１】  映像信号を利用してホワイトバランスを補正するホワイトバランスの補正方法であって、
画面を複数のブロックに分割し、各分割領域内の信号を平均化して各ブロックの代表値であるブロック平均信号を得るブロック平均信号抽出工程と、
各分割領域内の信号中で輝度信号が最大の部分の信号を、各ブロックの代表値であるブロック輝度ピーク信号として得るブロック輝度ピーク信号抽出工程と、
前記ブロック平均信号と前記ブロック輝度ピーク信号を被写体の状態によって切り替えてホワイトバランス制御に用いる信号切り替え工程とを具備することを特徴とするホワイトバランスの補正方法。
【請求項１２】  映像信号を利用してホワイトバランスを補正するホワイトバランスの補正方法であって、
画面を複数のブロックに分割し、各分割領域内の信号を平均化して各ブロックの代表値であるブロック平均信号を得るブロック平均信号抽出工程と、
各分割領域内の信号中で輝度信号が最大の部分の信号を、各ブロックの代表値であるブロック輝度ピーク信号として得るブロック輝度ピーク信号抽出工程と、
各ブロックの抽出された信号の中から、輝度信号と色差信号が無彩色の範囲内にある信号成分だけを抽出する白抽出処理工程と、
前記ブロック平均信号抽出工程での出力に白抽出処理をした信号と、前記ブロック輝度ピーク信号抽出工程での出力に白抽出処理をした信号を被写体の状態によって切り替えてホワイトバランス制御に用いる信号切り替え工程とを具備することを特徴とするホワイトバランスの補正方法。
【請求項１３】  映像信号を利用してホワイトバランスを補正する制御プログラムを格納したコンピュータ読み取り可能な記憶媒体であって、
前記制御プログラムが、
画面を複数のブロックに分割し、各分割領域内の信号を平均化して各ブロックの代表値であるブロック平均信号を得るブロック平均信号抽出工程のコードと、
各分割領域内の信号中で輝度信号が最大の部分の信号を、各ブロックの代表値であるブロック輝度ピーク信号として得るブロック輝度ピーク信号抽出工程のコードと、
前記ブロック平均信号と前記ブロック輝度ピーク信号を被写体の状態によって切り替えてホワイトバランス制御に用いる信号切り替え工程のコードとを具備することを特徴とする記憶媒体。
【請求項１４】  映像信号を利用してホワイトバランスを補正する制御プログラムを格納したコンピュータ読み取り可能な記憶媒体であって、
前記制御プログラムが、
画面を複数のブロックに分割し、各分割領域内の信号を平均化して各ブロックの代表値であるブロック平均信号を得るブロック平均信号抽出工程のコードと、
各分割領域内の信号中で輝度信号が最大の部分の信号を、各ブロックの代表値であるブロック輝度ピーク信号として得るブロック輝度ピーク信号抽出工程のコードと、
各ブロックの抽出された信号の中から、輝度信号と色差信号が無彩色の範囲内にある信号成分だけを抽出する白抽出処理工程のコードと、
前記ブロック平均信号抽出工程での出力に白抽出処理をした信号と、前記ブロック輝度ピーク信号抽出工程での出力に白抽出処理をした信号を被写体の状態によって切り替えてホワイトバランス制御に用いる信号切り替え工程のコードとを具備することを特徴とする記憶媒体。
【手続補正２】
【補正対象書類名】明細書
【補正対象項目名】００１３
【補正方法】変更
【補正の内容】
【００１３】
【課題を解決するための手段】
上述した課題を解決し、目的を達成するために、本発明に係わるホワイトバランス装置は、映像信号を利用してホワイトバランスを補正するホワイトバランス装置であって、画面を複数のブロックに分割し、各分割領域内の信号を平均化して各ブロックの代表値であるブロック平均信号を得るブロック平均信号抽出手段と、各分割領域内の信号中で輝度信号が最大の部分の信号を、各ブロックの代表値であるブロック輝度ピーク信号として得るブロック輝度ピーク信号抽出手段と、前記ブロック平均信号と前記ブロック輝度ピーク信号を被写体の状態によって切り替えてホワイトバランス制御に用いる信号切り替え手段とを具備することを特徴としている。
【手続補正３】
【補正対象書類名】明細書
【補正対象項目名】００１４
【補正方法】変更
【補正の内容】
【００１４】
また、この発明に係わるホワイトバランス装置において、前記信号切り替え手段は、前記ブロック平均信号抽出手段から出力された平均輝度信号の積分値と、前記ブロック輝度ピーク信号抽出手段から出力されたピーク輝度信号の積分値の比率を演算し、前記ピーク輝度信号の積分値が前記平均輝度信号の積分値の所定倍率以上の場合、前記ブロック輝度ピーク信号抽出手段の出力を選択し、前記所定倍率末満の場合は前記ブロック平均信号抽出手段の出力を選択することを特徴としている。
【手続補正４】
【補正対象書類名】明細書
【補正対象項目名】００１５
【補正方法】変更
【補正の内容】
【００１５】
また、この発明に係わるホワイトバランス装置において、前記ブロック輝度ピーク信号抽出手段は、ピークとして抽出される輝度を予め定められた下限と上限の間のレベルで制限した後の輝度信号を用いて各分割領域の信号中で輝度信号が最大の部分の信号を各ブロックの代表値として得ることを特徴としている。
【手続補正５】
【補正対象書類名】明細書
【補正対象項目名】００１７
【補正方法】変更
【補正の内容】
【００１７】
また、この発明に係わるホワイトバランス装置において、前記ブロック輝度ピーク信号抽出手段は、あらかじめ輝度信号、色差信号にあらかじめローパスフィルタをかけた後、輝度信号を予め定められた下限と上限の間のレベルで制限した輝度信号を用いて各分割領域の信号中で輝度信号が最大の部分の信号を各ブロックの代表値として得ることを特徴としている。
【手続補正６】
【補正対象書類名】明細書
【補正対象項目名】００１８
【補正方法】変更
【補正の内容】
【００１８】
また、本発明に係わるホワイトバランス装置は、映像信号を利用してホワイトバランスを補正するホワイトバランス装置であって、画面を複数のブロックに分割し、各分割領域内の信号を平均化して各ブロックの代表値であるブロック平均信号を得るブロック平均信号抽出手段と、各分割領域内の信号中で輝度信号が最大の部分の信号を、各ブロックの代表値であるブロック輝度ピーク信号として得るブロック輝度ピーク信号抽出手段と、各ブロックの抽出された信号の中から、輝度信号と色差信号が無彩色の範囲内にある信号成分だけを抽出する白抽出処理手段と、前記ブロック平均信号抽出手段の出力に白抽出処理をした信号と、前記ブロック輝度ピーク信号抽出手段の出力に白抽出処理をした信号を被写体の状態によって切り替えてホワイトバランス制御に用いる信号切り替え手段とを具備することを特徴としている。
【手続補正７】
【補正対象書類名】明細書
【補正対象項目名】００１９
【補正方法】変更
【補正の内容】
【００１９】
また、この発明に係わるホワイトバランス装置において、前記信号切り替え手段は、前記ブロック平均信号抽出手段から出力された信号に白抽出処理を施した後の平均輝度信号の積分値と、前記ブロック輝度ピーク信号抽出手段から出力された信号に白抽出処理を施した後のピーク輝度信号の積分値の比率を演算し、前記ピーク輝度信号の積分値が前記平均輝度信号の積分値の所定倍率以上の場合、前記ブロック輝度ピーク信号抽出手段の出力に白抽出処理をした信号を選択し、前記所定倍率未満の場合は前記ブロック平均信号抽出手段の出力に白抽出処理をした信号を選択することを特徴としている。
【手続補正８】
【補正対象書類名】明細書
【補正対象項目名】００２０
【補正方法】変更
【補正の内容】
【００２０】
また、この発明に係わるホワイトバランス装置において、前記ブロック輝度ピーク信号抽出手段は、ピークとして抽出される輝度を予め定められた下限と上限の間のレベルで制限した後の輝度信号を用いて各分割領域の信号中で輝度信号が最大の部分の信号を各ブロックの代表値として得ることを特徴としている。
【手続補正９】
【補正対象書類名】明細書
【補正対象項目名】００２２
【補正方法】変更
【補正の内容】
【００２２】
また、この発明に係わるホワイトバランス装置において、前記ブロック輝度ピーク信号抽出手段は、あらかじめ輝度信号、色差信号にあらかじめローパスフィルタをかけた後、輝度信号を予め定められた下限と上限の間のレベルで制限した輝度信号を用いて各分割領域の信号中で輝度信号が最大の部分の信号を各ブロックの代表値として得ることを特徴としている。
【手続補正１０】
【補正対象書類名】明細書
【補正対象項目名】００２３
【補正方法】変更
【補正の内容】
【００２３】
また、本発明に係わるホワイトバランスの補正方法は、映像信号を利用してホワイトバランスを補正するホワイトバランスの補正方法であって、画面を複数のブロックに分割し、各分割領域内の信号を平均化して各ブロックの代表値であるブロック平均信号を得るブロック平均信号抽出工程と、各分割領域内の信号中で輝度信号が最大の部分の信号を、各ブロックの代表値であるブロック輝度ピーク信号として得るブロック輝度ピーク信号抽出工程と、前記ブロック平均信号と前記ブロック輝度ピーク信号を被写体の状態によって切り替えてホワイトバランス制御に用いる信号切り替え工程とを具備することを特徴としている。
【手続補正１１】
【補正対象書類名】明細書
【補正対象項目名】００２４
【補正方法】変更
【補正の内容】
【００２４】
また、本発明に係わるホワイトバランスの補正方法は、映像信号を利用してホワイトバランスを補正するホワイトバランスの補正方法であって、画面を複数のブロックに分割し、各分割領域内の信号を平均化して各ブロックの代表値であるブロック平均信号を得るブロック平均信号抽出工程と、各分割領域内の信号中で輝度信号が最大の部分の信号を、各ブロックの代表値であるブロック輝度ピーク信号として得るブロック輝度ピーク信号抽出工程と、各ブロックの抽出された信号の中から、輝度信号と色差信号が無彩色の範囲内にある信号成分だけを抽出する白抽出処理工程と、前記ブロック平均信号抽出工程での出力に白抽出処理をした信号と、前記ブロック輝度ピーク信号抽出工程での出力に白抽出処理をした信号を被写体の状態によって切り替えてホワイトバランス制御に用いる信号切り替え工程とを具備することを特徴としている。
【手続補正１２】
【補正対象書類名】明細書
【補正対象項目名】００２５
【補正方法】変更
【補正の内容】
【００２５】
また、本発明に係わる記憶媒体は、映像信号を利用してホワイトバランスを補正する制御プログラムを格納したコンピュータ読み取り可能な記憶媒体であって、前記制御プログラムが、画面を複数のブロックに分割し、各分割領域内の信号を平均化して各ブロックの代表値であるブロック平均信号を得るブロック平均信号抽出工程のコードと、各分割領域内の信号中で輝度信号が最大の部分の信号を、各ブロックの代表値であるブロック輝度ピーク信号として得るブロック輝度ピーク信号抽出工程のコードと、前記ブロック平均信号と前記ブロック輝度ピーク信号を被写体の状態によって切り替えてホワイトバランス制御に用いる信号切り替え工程のコードとを具備することを特徴としている。
【手続補正１３】
【補正対象書類名】明細書
【補正対象項目名】００２６
【補正方法】変更
【補正の内容】
【００２６】
また、本発明に係わる記憶媒体は、映像信号を利用してホワイトバランスを補正する制御プログラムを格納したコンピュータ読み取り可能な記憶媒体であって、前記制御プログラムが、画面を複数のブロックに分割し、各分割領域内の信号を平均化して各ブロックの代表値であるブロック平均信号を得るブロック平均信号抽出工程のコードと、各分割領域内の信号中で輝度信号が最大の部分の信号を、各ブロックの代表値であるブロック輝度ピーク信号として得るブロック輝度ピーク信号抽出工程のコードと、各ブロックの抽出された信号の中から、輝度信号と色差信号が無彩色の範囲内にある信号成分だけを抽出する白抽出処理工程のコードと、前記ブロック平均信号抽出工程での出力に白抽出処理をした信号と、前記ブロック輝度ピーク信号抽出工程での出力に白抽出処理をした信号を被写体の状態によって切り替えてホワイトバランス制御に用いる信号切り替え工程のコードとを具備することを特徴としている。